(57)【要約】【課題】  底部にキャスター輪を備える移動システムの場合、家具等が安定せず、また、床も傷つき易い。【解決手段】  室内の側壁下部と側壁寄り床とのいずれか一方または双方に固定された側方レールと、仕切り壁、押入れ、本棚、システムキッチン等の家具類を搭載可能な台輪とを備え、台輪には側方レールの上を走行可能な車輪と、必要に応じて床面に敷設・取外し可能な仮設レールの上を走行可能な車輪と、台輪を昇降可能な昇降機構と、台輪の上昇時に床面に接地して台輪を支持し、台輪の降下時に床面から離れる支持脚を備え、昇降機構はその操作部を手動により又は動力により操作して支持脚を昇降させることにより台輪を昇降させ、車輪は支持脚の上昇時に側方レールと仮設レールとの上を壁面に沿って移動して、それに搭載されている家具類を前記移動方向と同方向に移動可能であることを特徴とする家具類の移動装置。【選択図】図１
2005087532.tif 000002
【特許請求の範囲】
【請求項１】
室内の側壁下部と側壁寄り床とのいずれか一方または双方に固定された側方レールと、仕切り壁、押入れ、本棚、システムキッチン等の家具類を搭載可能な台輪とを備え、台輪には側方レールの上を走行可能な車輪と、必要に応じて床面に敷設・取外し可能な仮設レールの上を走行可能な車輪と、台輪を昇降可能な昇降機構と、台輪の上昇時に床面に接地して台輪を支持し、台輪の降下時に床面から離れる支持脚を備え、昇降機構はその操作部を手動により又は動力により操作して支持脚を昇降させることにより台輪を昇降させ、車輪は支持脚の上昇時に側方レールと仮設レールとの上を壁面に沿って移動して、それに搭載されている家具類を前記移動方向と同方向に移動可能であることを特徴とする家具類の移動装置。
【請求項２】
請求項１記載の家具類の移動装置において、台輪にのせた家具類の上に高さ調節可能な上閉塞具を備え、上閉塞具は家具類の固定時には高くして家具類の上面と天井との間を閉塞可能であり、家具類の移動時には低くして天井から離すことが可能であることを特徴とする家具類の移動装置。
【請求項３】
請求項１又は請求項２記載の家具類の移動装置において、台輪にのせた家具類の横上方に横幅を調節可能な横上閉塞具を備え、横上閉塞具は家具類の固定時には横幅を広くして家具類の横面上方と室内の側壁上方との間を閉塞可能であり、家具類の移動時には横幅を狭くして室内の側壁から離すことが可能であることを特徴とする家具類の移動装置。
【請求項４】
請求項１乃至請求項３のいずれかに記載の家具類の移動装置において、台輪にのせた家具類の横に横上閉塞具が突設され、当該家具類の上に高さ調節可能な上閉塞具がのせられ、上閉塞具の横に前記横上閉塞具の上を閉塞する補助閉塞具が突設され、横上閉塞具及び補助閉塞具の横と室内の側壁との間に空間閉塞具が配置され、空間閉塞具はスライド機構の操作により家具類の固定時には室内の側壁及び天井へ接するように横移動及び上方移動可能であり、家具類の移動時には側壁及び天井から離れるように横移動及び下方移動可能であることを特徴とする家具類の移動装置。
【請求項５】
請求項３又は請求項４記載の家具類の移動装置において、家具類の横に突設された横上閉塞具の下に、家具類の横の出入り口を開閉可能な戸を設けたことを特徴とする家具類の移動装置。
【請求項６】
請求項３乃至請求項５のいずれかに記載の家具類の移動装置において、台輪昇降機構の操作部が家具類に取り付けられた蓋付き収納部内又は家具類とは別の蓋付き収納部内に収納され、その蓋を開くとスライド機構が作動して空間閉塞具が側壁及び天井から離れ、蓋を閉じるとスライド機構が作動して空間閉塞具が側壁及び天井側へ移動することを特徴とする家具類の移動装置。
【請求項７】
請求項１乃至請求項６のいずれかに記載の家具類の移動装置において、台輪の側方レール側に、台輪の幅よりも側方に突出する延長部を設け、その延長部に側方レールの上を走行可能な車輪を設けたことを特徴とする家具類の移動装置。
【請求項８】
請求項１乃至請求項７のいずれかに記載の家具類の移動装置において、台輪を昇降可能な昇降機構は昇降操作部の操作により作動して台輪を昇降させ、昇降操作部は、収納ボックスに収納され、収納ボックスの戸を開くと、空間閉塞具が室内の側壁と天井から離れることを特徴とする家具類の移動装置。
【発明の詳細な説明】
【技術分野】
【０００１】
本発明は、室内において部屋の仕切り壁、押入れ、本棚、システムキッチン等の家具類を室内の壁面に沿って移動させることが可能な家具類の移動装置に関するものである。
【背景技術】
【０００２】
最近のマンションでは、押し入れや収納庫などを作り付けにしたシステム家具が普及している。これらは固定式であり移動ができないため、マンション内の間取りを変えたり、室内のレイアウトを変えたりする事ができなかったり、できたとしても限度があり、不便であった。
【０００３】
近年は前記不便を解消するため、図２３に示すように、マンション内の間仕切り壁や、間仕切り兼用の押し入れ等を手軽に移動させて、マンション内の間取り、室内のレイアウト、広さ等を変えることができるようにした家具類移動システムが開発されている。その一つとして、家具をのせる台輪に移動用自在車輪（キャスター輪）を備えたものがある（例えば、特許文献１参照。）。
【０００４】
【特許文献１】特許第３１６４５３４号公報。
【発明の開示】
【発明が解決しようとする課題】
【０００５】
特許文献１のように、キャスター輪を備えた移動システムは次のような課題がある。
（１）キャスター輪の支軸が車輪の中心軸からずれた位置にあり、しかも、支軸が旋回するため、台輪に取付けられている複数のキャスター輪の支軸が全て台輪の内側を向くことがあり、その場合は台輪が不安定になり、台輪に搭載されている家具類も不安定になるという課題があった。
（２）キャスター輪の走行跡が床に残ったり、床に傷が付いたりすることもある。
（３）家具自体又は押し入れ内の中身が重い場合、キャスター輪がジュータンの上を走行しにくくなるため、かなり強い力がないと移動させることができない。
【課題を解決するための手段】
【０００６】
本発明の家具類の移動装置は、弱い力（指一本で押す程度の力）で手軽に移動させることができ、移動によって床に傷つけることもなく、安定性に優れたものである。
【０００７】
請求項１記載の家具類の移動装置は、室内の側壁下部と側壁寄り床とのいずれか一方または双方に固定された側方レールと、仕切り壁、押入れ、本棚、システムキッチン等の家具類を搭載可能な台輪とを備え、台輪には側方レールの上を走行可能な車輪と、必要に応じて床面に敷設・取外し可能な仮設レールの上を走行可能な車輪と、台輪を昇降可能な昇降機構と、台輪の上昇時に床面に接地して台輪を支持し、台輪の降下時に床面から離れる支持脚を備え、昇降機構はその操作部を手動により又は動力により操作して支持脚を昇降させることにより台輪を昇降させ、車輪は支持脚の上昇時に側方レールと仮設レールとの上を壁面に沿って移動して、それに搭載されている家具類を前記移動方向と同方向に移動可能なものである。
【０００８】
請求項２記載の家具類の移動装置は、請求項１記載の家具類の移動装置において、台輪にのせた家具類の上に高さ調節可能な上閉塞具を備え、上閉塞具は家具類の固定時には高くして家具類の上面と天井との間を閉塞可能であり、家具類の移動時には低くして天井から離すことが可能なものである。
【０００９】
請求項３記載の家具類の移動装置は、請求項１又は請求項２記載の家具類の移動装置において、台輪にのせた家具類の横上方に横幅を調節可能な横上閉塞具を備え、横上閉塞具は家具類の固定時には横幅を広くして家具類の横面上方と室内の側壁上方との間を閉塞可能であり、家具類の移動時には横幅を狭くして室内の側壁から離すことが可能なものである。
【００１０】
請求項４記載の家具類の移動装置は、請求項１乃至請求項３のいずれかに記載の家具類の移動装置において、台輪にのせた家具類の横に横上閉塞具が突設され、当該家具類の上に高さ調節可能な上閉塞具がのせられ、上閉塞具の横に前記横上閉塞具の上を閉塞する補助閉塞具が突設され、横上閉塞具及び補助閉塞具の横と室内の側壁との間に空間閉塞具が配置され、空間閉塞具はスライド機構の操作により家具類の固定時には室内の側壁及び天井へ接するように横移動及び上方移動可能であり、家具類の移動時には側壁及び天井から離れるように横移動及び下方移動可能なものである。
【００１１】
請求項５記載の家具類の移動装置は、請求項３又は請求項４記載の家具類の移動装置において、家具類の横に突設された横上閉塞具の下に、家具類の横の出入り口を開閉可能な戸を設けたものである。
【００１２】
請求項６記載の家具類の移動装置は、請求項３乃至請求項５のいずれかに記載の家具類の移動装置において、台輪昇降機構の操作部が家具類に取り付けられた蓋付き収納部内又は家具類とは別の蓋付き収納部内に収納され、その蓋を開くとスライド機構が作動して空間閉塞具が側壁及び天井から離れ、蓋を閉じるとスライド機構が作動して空間閉塞具が側壁及び天井側へ移動するようにしたものである。
【００１３】
請求項７記載の家具類の移動装置は、請求項１乃至請求項６のいずれかに記載の家具類の移動装置において、台輪の側方レール側に、台輪の幅よりも側方に突出する延長部を設け、その延長部に側方レールの上を走行可能な車輪を設けたものである。
【００１４】
請求項８記載の家具類の移動装置は、請求項１乃至請求項７のいずれかに記載の家具類の移動装置において、台輪を昇降可能な昇降機構は昇降操作部の操作により作動して台輪を昇降させ、昇降操作部は、収納ボックスに収納され、収納ボックスの戸を開くと、空間閉塞具が室内の側壁と天井から離れるものである。
【発明の効果】
【００１５】
請求項１の家具類の移動装置は次のような効果がある。
（１）家具類を搭載した台輪を上昇させて床面から浮かせて、台輪の車輪を側方レールと仮設レールの上を走行させることができるため、多くの本を入れた本棚等の重い家具類であっても中身を出さずに移動させることができ、力の弱い女性やお年寄りでも簡単に移動させることができる。
（２）台輪を床面に設置するときは仮設レールを床面から取外すことができ、側方レールは壁面に固定されているため、いずれのレールも日常生活で邪魔になることがない。
（３）台輪の車輪が側方レールと仮設レールの上を移動するため、重い家具類を移動させても、床に車輪の移動跡が付いたり、疵が付いたりすることもない。
（４）昇降機構の操作で台輪を昇降させることができるので、台輪の昇降操作が容易である。
（５）家具類を所望位置に移動した後は、支持脚を床に設置して台輪を床に固定することができるので家具類が安定する。家具類が間仕切り壁とか押入れなどの場合に振動や衝撃にも強く、安定性が確保される。
【００１６】
請求項２記載の家具類移動装置は、上記効果の他に次のような効果もある。
台輪にのせた家具類の上に高さ調節可能な上閉塞具を備えているので、台輪の昇降に合わせて上閉塞具を高さ調節して、家具類の固定時には家具類を室内の天井と側壁に突き当てて支持することができるので家具類が安定する。また、天井や側壁と家具等との間の隙間が閉塞されるので室内の美感が損なわれない。家具類の移動時には室内の天井から離して、台輪及び家具をスムースに移動させることができる。
【００１７】
請求項３の家具類移動装置は、上記効果の他に次のような効果もある。
台輪にのせた家具類の横上方に横幅を調節可能な横上閉塞具を備え、横上閉塞具は家具類の固定時には横幅を広くして家具類の横面上方と室内の側壁上方との間を閉塞可能であり、家具類の移動時には横幅を狭くして室内の側壁から離すことが可能であるため、家具類の固定時には家具類の上方横面と室内の側壁との間に隙間が生ぜず室内の美観が損なわれず、体裁が良い。家具類の移動時には家具類の上方横面を室内の側壁から離して台輪及び家具類の移動をスムースに行なうことができる。
【００１８】
請求項４の家具類移動装置は、上記効果の他に次のような効果もある。
（１）台輪にのせた家具類の横に横上閉塞具が突設され、当該家具類の上に高さ調節可能な上閉塞具がのせられ、上閉塞具の横方には前記横上閉塞具の上を閉塞する補助閉塞具が突設され、横上閉塞具及び補助閉塞具の横と室内の側壁との間に空間閉塞具が配置されたので、家具類の上方、横、上方横面が閉塞されて室内の側壁との間、天井との間に隙間ができず、室内の美観が損なわれず、体裁がよい。
（２）空間閉塞具は、家具類の固定時には室内の側壁及び天井へ接するように横移動及び上方移動し、家具類の移動時には側壁及び天井から離れるように横移動及び下方移動するので、一つの空間閉塞具で室内の側壁及び天井と横上閉塞具との間の隙間、室内の側壁及び天井と補助閉塞具との隙間を閉塞することができるので室内の美観が損なわれず、体裁が良く、便利でもある。
（３）空間閉塞具はスライド機構の操作により横移動及び上方移動するので、空間閉塞具の移動操作が容易である。
【００１９】
請求項５記載の家具類の移動装置は、上記効果の他に次のような効果もある。
家具類の横に突設された横上閉塞具の下に、家具類の横の出入り口を開閉可能な戸を設けたので、家具類の移動時にその戸をも一緒に移動させることができる。
【００２０】
請求項６の家具類移動装置は、上記効果の他に次のような効果もある。
台輪昇降機構の操作部が家具類に取り付けられた蓋付き収納部内又は家具類とは別の蓋付き収納部内に収納され、その蓋を開くとスライド機構が作動して空間閉塞具が側壁及び天井から離れるので、空間閉塞具が側壁及び天井に接触しているままで、台輪を移動させることが無く、空間閉塞具が側壁や天井を擦って移動することも無く、空間閉塞具、側壁、天井に擦り疵が付くとか、それらが損傷するといったことが無い。
【００２１】
請求項７の家具類移動装置は、上記効果の他に次のような効果もある。
台輪の側方レール側に、台輪の幅よりも側方に突出する延長部を設け、その延長部に側方レールの上を走行可能な車輪を設けたので、搭載する家具類が、本棚等の厚みの薄いものである場合であっても、転倒せずに安定して家具類を移動させることができる。また、台輪の側方レール側に、延長部を設けるため、延長部が室内において邪魔になることもない。
【００２２】
請求項８の家具類移動装置は、上記効果の他に次のような効果もある。
（１）台輪を昇降可能な昇降機構は昇降操作部の操作により作動して台輪を昇降させ、昇降操作部は、収納ボックスに収納されるので、昇降操作部は、未使用時の昇降操作部が、家具類の美感を損ねることがない。
（２）収納ボックスの戸を開くと、空間閉塞具が室内の側壁と天井から離れるので、家具類を移動させる際に、閉塞を簡単に解除して迅速に移動させることができる。
【発明を実施するための最良の形態】
【００２３】
（実施形態１）
本発明の家具類の移動装置の実施形態の一例を図面を参照して説明する。図１に示す家具類の移動装置はマンションなどの室内に施工した例であり、家具類が押入れ等の場合である。図１では室内の側壁１の下部に固定された側方レール２と、床面３に敷設・取外し自在な仮設レール４との上に台輪５を設置し、台輪５の上に家具類６を搭載してある。台輪５には側方レール２の上を走行する車輪７と仮設レール４の上を走行する車輪８とが取付けられ、台輪５の上に搭載された家具類６を押すと、それら車輪７、８が夫々のレール２，４の上を走行して台輪５と家具類６が共に側壁１に沿って移動するようにしてある。
【００２４】
台輪５には複数の支持脚９と、それを昇降させることによって台輪５を昇降させる昇降機構１０が設けられている。昇降機構１０を操作して支持脚９を降下させて床面３に接触させると台輪５が床面３から離れて浮き上がる。支持脚９を床面３に接触しても更に降下させると、支持脚９は床面３につかえて降下することができないため支持脚９が取付けられている台輪５が上昇する。同時に、台輪５に取付けられている車輪７、８も上昇して床面３から離れる（浮き上がる）ようにしてある。
【００２５】
昇降機構１０を操作して支持脚９を上昇させて台輪５を降下させると、台輪５に取付けられている車輪７、８が降下して側方レール２、床面に敷設した仮設レール４の上に降下し、車輪７、８により台輪５が支持される。それでも更に支持脚９を上昇させると、支持脚９は床面３から離れて浮き上がる。この状態で、家具類６を押すと前記のように車輪７、８が夫々のレール２、４の上を走行し、台輪５も移動し、家具類６が移動するようにしてある。
【００２６】
前記側方レール２は金属性であり、図４のように端面上部がＬ字状に形成されて、側壁１との間に車輪７が配置される走行空間１２が形成されている。図９に示すように、側方レール２は高さ方向中央部が室内の側壁１にビスなどの固定具１１で固定されて、側壁１に取付けたままにしておくものである。側方レール２の長さは、その上を台輪５が移動することにより、台輪５及びそれに搭載された家具類６を所望位置まで移動させることができる長さにしてある。
【００２７】
仮設レール４は床上に施設・取外し自在な細長板状のレールであり、車輪８が走行しても変形しない硬さのものが使用される。その長さは台輪５を室内で移動させるのに足りるだけの長さ、例えば、数十ｃｍ〜数ｍ程度、幅は台輪５が横に脱輪しにくい程度、例えば数ｃｍのものであればよい。仮設レール４の上面は平滑面であってもよいが、図２に示すように幅方向中央に凸条１３を長手方向に形成して、それに沿って車輪８が走行できるようにすることもできる。この仮設レール４は台輪５を移動させて家具類６を移動するときだけ床面３に敷設し（置き）、移動し終えたら取り外すものであり、いわゆる、仮設のものである。
【００２８】
台輪５は図２に示すように２本の金属製の略C字形の前後フレーム１５ａ、１５ｂと、２本の金属製のコ字形の側方フレーム１６ａ、１６ｂを組み合わせて長方形にしてある。前記前後フレーム１５ａ、１５ｂは、上面の幅を、下面の幅より広くして形成されている。この場合、略C字形の前後フレーム１５の開口部１７を外側に向け、コ字形の側方フレーム１６の開口部１８を内側に向けて組み合わせてある。更に、２本の前後フレーム１５ａ、１５ｂ間に、その長手方向に所定間隔で補強材１９を複数本配置してある。また、２本の前後フレーム１５ａ、１５ｂの外側には細長板状の隠し板８０ａ、８０ｂを被せて開口部１７を被覆してある。また、図１８に示すように、側方フレーム１６ａの外側には内隠し板８８と外隠し板８９の二枚の隠し板が備えられている。
【００２９】
本発明の家具等の移動装置は、図１８に示すように前記隠し板８０を昇降させる化粧板昇降機構８１を備える。化粧板昇降機構８１は、次のような構成を備える。図１８に示すように、前後フレーム１５ａ、１５ｂ用の隠し板８０ａ、８０ｂと、側方フレーム１６ａ用の内隠し板８８とが、コ字形に連結されて、化粧板１００を形成している。前後フレーム１５ａ、１５ｂの隠し板８０ａ、８０ｂの内側には、夫々の対向位置に二箇所ずつ吊上げ具８２が固定されている。前後フレーム１５ａ、１５ｂの内部空間には、吊上げ具８２を押し上げられる位置にカム８３を備える。前記カム８３は、図１９（ａ）（ｂ）に示すように、細長な楕円形の一端を軸に回転可能な形状に成形されている。従って、吊上げ具８２はカム８３の回転によって押し上げられるようにしてある。また、前記カム８３は図１８に示すように、前後フレーム１５ａ、１５ｂの夫々の対向位置に備えられており、対向する二対のカム８３同士は、回転軸８４で連結されて、同期回転できるようにしてある。また、図１８に示すように、二本の回転軸８４に直交させてロッド８５が備えられ、両者は連結具８６を介して連結されている。前記ロッド８５は側方フレーム１６ａの外側にまで突出して備えられている。前記内隠し板８８は、図１８に示すように、上部が切り欠かれ、図２に示す回転シャフト４３ａを通すための孔が形成されている。前記外隠し板８９は、図１８に示すように、前記前後フレーム１５ａ、１５ｂとコ字型に連結可能であって、内隠し板８８の切り欠き部を外部から覆うように備えられる。図１８に示すように、前記側方フレーム１６ａの外側からロッド８５を引くと回転軸８４が９０度回転し（図中矢印参照。）、ロッドを押し戻すと回転軸８４も元に戻る。従って、ロッド８５を引くと、図１９（ａ）に示すように回転軸８４が９０度回転し、各カム８３も９０度回転して縦向きになり、吊上げ具８２を押し上げてコ字形に連結された化粧板１００を押し上げ、ロッド８５を押し戻すと、図１９（ｂ）に示すように回転軸８４も元に戻り、各カム８３も横向きに戻り、吊上げ具８２の押しを解除して、化粧板１００は床面３に着く。化粧板昇降装置８１は、化粧板１００を押し上げたままの位置で化粧板１００を保持することができるようにしてある。化粧板１００は、床面３に着けられて、台輪５と床面３との間の隙間を隠す役割を果たす。
【００３０】
図２及び図３に示すように、前後フレーム１５ａ、１５ｂの夫々の対向位置には、その内側から下側にかけて切り欠かれた車輪取り付け窓２０と、前後フレーム１５ａ、１５ｂ下側に開口した支持脚取付け窓２１と、内側に開口した縦螺子歯車突出窓２２とが形成され、車輪取り付け窓２０には仮設レールの上を走行する車輪８が、支持脚取付け窓２１と縦螺子歯車突出窓２２との間には支持脚９が取付けられ、側方フレーム１６ａの長手方向（前後方向）両端寄りには側方レール２の上を走行する車輪７が二個一組で二組取付けられている。
【００３１】
前記仮設レール用の車輪８は回転軸８ａに二つ取付けられ、夫々の車輪８が個別に回転可能としてある。この車輪８は図２に示すように、回転軸８ａが断面形状がコ字型の車輪用ブラケット２３に取付けられており、その車輪用ブラケット２３を前後フレーム１５ａ、１５ｂに固定することにより、前後フレーム１５ａ、１５ｂの底面よりも下方に突出するように取付けられて、前後方向に回転可能としてある。
【００３２】
前記側方レール用の車輪７は、図４に示すように、その車輪７の軸７ａを側方フレーム１６ｂに取付けられて、前後方向に回転自在としてある。この車輪７の外側には径の大きな鍔７ａが形成されて、側方レール２から脱輪しないようにしてある。
【００３３】
支持脚取付け窓２１に取付けられている支持脚９は、図３に示すように、支持脚用ブラケット２５内に取り付けられており、その支持脚用ブラケット２５を支持脚取付け窓２１にセットし、支持脚用ブラケット２５のねじ孔３０にボルト２６を差込み、ボルト２６の先端側にナット２７を螺合して前後フレーム１５ａ、１５ｂに固定することにより、前後フレーム１５ａ、１５ｂに取付けられている。支持脚９の支持軸（螺子軸）９ａの上部には縦螺子歯車２４が取付けられており、この縦螺子歯車２４が回転することにより、螺子軸９ａが回転し、その回転により支持脚９が昇降するようにしてある。支持脚９、螺子軸９ａ、縦螺子歯車２４の支持脚用ブラケット２５への取り付け及び昇降構造は図５のようになっている。
【００３４】
図５に示すように、支持脚用ブラケット２５に固定されている下板２８と上板２９との間に縦螺子歯車２４が配置され、その縦螺子歯車２４が上板２９に固定された軸受け３１に回転自在に取付けられている。この縦螺子歯車２４の中心の螺子孔３２内に螺子軸９ａを螺子込み、その螺子軸９ａの外周面の上から下まで形成された縦溝３３（図５、図６）に、下板２８にねじ込んだ止め螺子３４の先端を進入させて螺子軸９ａの回転を規制してある。この構造とすることにより、縦螺子歯車２４が回転しても螺子軸９ａは回転することができず、螺子軸９ａは縦螺子歯車２４の螺子孔３２に沿って昇降し、その昇降により支持脚９が昇降するようにしてある。この場合、螺子軸９ａは縦螺子歯車２４が時計回転すると上昇し、逆回転すると降下するようにするか、その逆に昇降するようにしてある。また、螺子軸９ａの上端には、頭部の直径が螺子軸９ａの直径より大きいビス３５をねじ込み、螺子軸９ａが螺子孔３２から抜けてしまわないように螺子孔３２の上端で係止することができるようにしてある。また、螺子軸９ａの下方には、フランジ９０が取り付けられている。図５（ｂ）、（ｃ）に示すように、フランジ９０は内部が空洞の部材であって、上面に螺子孔９１が形成されている。フランジ９０の内部の空洞内には、螺子軸９ａの下端部分が挿通されており、螺子孔９１と螺子軸９ａとが螺合され、螺子軸９ａを軸にフランジ９０を回転させ、フランジ９０を上下動させることができるようにしてある。従って、フランジ９０を直接手や道具で左右に回転させて上下動させることによって、前後フレーム１５ａ、１５ｂに取付けてある８個の支持脚９を個々に高さ調節することができ、台輪５を水平に調節することができる。また、図５（ｂ）に示すように、螺子軸９ａの下端より上方には、リング９２が取り付けられ、螺子軸９ａが下がり過ぎてフランジ９０の下端から突き出てしまわないように螺子孔９１の上端で係止することができるようにしてある。また図５（ｃ）に示すように、螺子軸９ａの下端はフランジ９０の内部の空洞内に挿通されており、上端同様に頭部の直径が螺子軸９ａの直径より大きいビス９３をねじ込み、螺子軸９ａが螺子孔９１から抜けてしまわないように螺子孔９１の下端で係止することができるようにしてある。
【００３５】
図６に示すように台輪５に取付けられた８つの支持脚９を降下させて、台輪５を押し上げると、図８に示すように、台輪５に取付けられている側方レール用の車輪７は側方レール２から、仮設レール用の車輪８は床面３から夫々浮き上がり、台輪５が安定し、台輪５の上の家具類６も安定する。逆に、図７に示すように台輪５に取付けられた８つの支持脚９を上昇させて、台輪５を下げると、図９に示すように、側方レール用の車輪７は側方レール２に、仮設レール用の車輪８は床面に敷設した仮設レール４の上に、夫々接触して夫々の車輪７、８が夫々のレール２、４の上を走行可能となり、台輪５及びその上の家具類６が移動可能となる。
【００３６】
前記支持脚９の昇降は、前記縦螺子歯車２４への昇降機構１０の横螺子歯車４１の噛み合いにより行なわれる。そのため、縦螺子歯車２４は支持脚用ブラケット２５を支持脚取付け窓２１に取付けるとき支持脚取付け窓２１から内側に突出するように取付けて、縦螺子歯車２４とその内側に配置される昇降機構１０の横螺子歯車４１とが噛み合うようにしてある。
【００３７】
前記昇降機構１０は、図１に示すようにハンドル４０による操作部を回転（操作）して２本の回転シャフト４３ａ、４３ｂを回転させると、回転シャフト４３ａ、４３ｂに回転自在に取付けられている横螺子歯車４１が回転し、横螺子歯車４１が噛み合っている縦螺子歯車２４が回転すると、縦螺子歯車２４が取付けられている支持脚９が降下して床面３に接地し、接地してもなおも回転シャフト４３ａ、４３ｂを回転させると支持脚９が更に降下して台輪５が押し上げられ、操作部４０を逆回転させると回転シャフト４３ａ、４３ｂ、横螺子歯車４１、縦螺子歯車２４が逆回転して支持脚９が上昇し、台輪５が降下するようにしてある。
【００３８】
前記回転シャフト４３ａ、４３ｂは、図１及び図２に示すように、補強材１９を貫通して台輪５の対向する二つの側方フレーム１６ａ、１６ｂ間に架設されており、その回転シャフト４３ａ、４３ｂの軸方向所定位置に横螺子歯車４１を回転自在に取り付けて、夫々の横螺子歯車４１を縦螺子歯車２４に噛み合わせてある。回転シャフト４３ａ、４３ｂのうち横螺子歯車４１の横には樹脂製のカラー４２を被せてある。前記カラー４２は樹脂製には限られず、任意の素材を用いることができ、例えば金属製や木製等であってもよい。また、前記二本の回転シャフト４３ａ、４３ｂの軸方向途中に歯車４４ａ、４４ｂを設け、両歯車４４ａ、４４ｂ間にチェーン４５を掛けてある。この二本の回転シャフト４３ａ、４３ｂのうち一本の回転シャフト４３ａの端部を台輪５の側方フレーム１６ａの外側まで突出させ、その突出部分にスプロケット４６を取付け、それと駆動ギヤ４７にチェーン４８を掛け、ハンドル４０を回転させて駆動ギヤ４７を回転させるとチェーン４８、スプロケット４６が回転して回転シャフト４３ａが回転し、他方の回転シャフト４３ｂが同期回転するようにしてある。ハンドル４０は駆動ギヤ４７に着脱自在としてある。図１のスプロケット４６、駆動ギヤ４７、チェーン４８、ハンドル４０は、図１０に示すように、家具類６の側面に形成した収納ボックス４９に収納されており、図１１に示すように、収納ボックス４９の蓋５０を開けてハンドル４０を操作できるようにしてある。ハンドル４０は駆動ギア４７に装着したままにしておくことも、それから取り外して収納しておくこともできる。ハンドル４０は蓋５０を開けたまま回転させて支持脚９を昇降させて、台輪５を昇降させることができる。
【００３９】
（使用例１）
本発明の移動装置により、台輪５に搭載されている家具類６の床への固定、移動を行なうには次のようにする。
１．ロッド８５が引かれ、化粧板１００が床面３から持ち上げられて保持され（図１９（ａ））、支持脚９が床面３に接地し、仮設レール用の車輪８が床面３から浮き、側方レール用の車輪７が側方レール２から浮いて、台輪５が床面３に固定され、台輪５に搭載されている家具類６が固定している図８の状態で、仮設レール用の車輪８の下の床面３上に、仮設レール４を敷設する。
２．ハンドル４０を回し、台輪５に備えられた二本の回転シャフト４３ａ、４３ｂを同期回転させ、支持脚９を上昇させることにより台輪５を台輪５の底面よりも下方まで降下させて、仮設レール用の車輪８を仮設レール４の上に、側方レール用の車輪７を側方レール２の上に、夫々のせる（図９）。
３．家具類６を押して、所望位置までレール２、４に沿って移動させる。
４．所望位置で移動を停止させてから、ハンドル４０を前回とは逆回転させて、二本の回転シャフト４３ａ、４３ｂをも前回とは逆回転させ、支持脚９を台輪５の底面よりも下方まで降下させて、支持脚９を床面３に接地させて、仮設レール用の車輪８を仮設レール４から、側方レール用の車輪７を側方レール２から夫々浮かせ、台輪５を床に固定することによりそれに搭載されている家具類６を固定する。その後に、仮設レール２を床から取外す。その後ロッド８５を押し戻し、化粧板１００を床面３に付ける（図１９（ｂ））。
再度移動させるには、上記１〜４の手順を繰り返し行う。
【００４０】
（実施形態２）
本発明の移動装置の他の実施形態を図１０〜図１７を参照して説明する。この移動装置の基本的構成は前記実施形態１の移動装置と同じであるが、異なるのは、図１０に示すように、家具類６の上に上閉塞具５１を、家具類６の側方に横上閉塞具５５を、上閉塞具５１の横に補助閉塞具５６を、横上閉塞具５５の下に戸５２を開閉自在に設けたことである。
【００４１】
前記使用例で説明したように、家具類６は台輪５の昇降に伴って昇降するため家具類６と室内の天井５３との間には隙間をあけておく必要がある。しかし、家具類６を床面３の所定位置に固定した後はその隙間は不要になる。しかも、そのまま隙間をあけておいたのでは、家具類６が間仕切り壁である場合は、隣室と確実に仕切ることができないし、また、体裁も良くない。そこで、この実施例では前記上閉塞具５１を設けた。
【００４２】
また、家具類６が出入り口及び扉を備える間仕切り壁である場合、それを移動すると、その家具類６の横に出入り口及び扉がある場合には、家具類６だけが移動して、出入り口や扉が残ってしまうため、それらを別途移動させなければならない。そこで、この実施形態では前記横上閉塞具５５と補助閉塞具５６とを設けてある。更に、家具類６の横の出入り口を開閉可能な戸５２をも設けてある。もっとも、家具類６が出入り口及び扉を備えない間仕切り壁である場合には、戸５２は必要ない。
【００４３】
図１０では台輪５にのせた家具類６の横上方に横幅を調節可能な横上閉塞具５５を突設してある。また、家具類６の上に高さ調節可能な上閉塞具５１をのせ、上閉塞具５１の側方に、前記横上閉塞具５５の上を閉塞する補助閉塞具５６を突設してある。更に、横上閉塞具５５及び補助閉塞具５６の横と室内の側壁５４との間に空間閉塞具５７を配置してある。
【００４４】
前記横上閉塞具５５は図１２に示すように、家具類６の背面に設けられた二枚の板材６７を間隔をあけて対向させて中空にしてあり、その長さを、先端部６６が室内の対向する側壁５４まで届かない長さにしてある。
【００４５】
家具類６の上面には上閉塞具５１をのせてある。上閉塞具５１の横には前記横上閉塞具
５５の上に配置されてその空間を閉塞可能な補助閉塞具５６が突設されている。上閉塞具
５１は図１３に示すように、家具類６の上面７３の外形より一回り小さなサイズの長方形の枠状の下体６０の上に家具類６の上面７３の外形と同じサイズの長方形の底面開口の上体６１を被せてあり、下体６０の上面四隅に三角形の隅板６２が張られ、各隅板６２の裏面にナット６３が固定され、そのナット６３に操作螺子６４が回転により昇降可能なるように螺合されている。操作螺子６４の頭部７５は家具類６の上面７３に開口された操作孔７４から家具類６の内部に突出させて家具類６の内部から操作できるようにしてある。操作螺子６４の上端部には押し板６５が取付けられ、操作螺子６４を螺子込んで上昇させることにより、上体６１を内側から押し上げることができ、操作螺子６４を逆回転させて降下させることにより、上体６１を下げることができるようにしてある。
【００４６】
前記上体６１の横には前記補助閉塞具５６が突設されて、上体６１が昇降すると上体
６１と同方向に同じ高さだけ昇降するようにしてある。補助閉塞具５６は板状であり、その長さは、先端部５８が室内の対向する側壁５４まで届かない長さにしてある。また、下端部が前記横上閉塞具５５の二枚の板材６７の間の収容空間５９内に収容されて、目隠しされるようにしてある。
【００４７】
前記横上閉塞具５５と補助閉塞具５６の先端側には空間閉塞具５７が配置されて、横上閉塞具５５及び補助閉塞具５６の先端部６６、５８と室内の側壁面５４との間の隙間を閉塞している。空間閉塞具５７は図１２のように家具類６側が開口するコ字状であり、横上閉塞具５５と補助閉塞具５６の先端部６６、５８の上から下まで閉塞可能な縦長に形成されて、図１０のように横上閉塞具５５と補助閉塞具５６の先端面６６、５８の上から下まで被せてある。この空間閉塞具５７は図１４〜図１７に示すスライド機構により上下左右にスライド可能としてある。
【００４８】
前記スライド機構は、図１０の収納ボックス４９の蓋５０の開閉に伴って図１４〜図１７の矢印方向へ往復移動可能なロッド６８と、その先に連結具６９により連結された押し具７０とから構成され、図１６のように押し具７０は先上がり傾斜にして空間閉塞具５７に取付けられている。このように先上がり傾斜に取付けることにより、ロッド６８の横移動により押し具７０は横及び斜め上方又は下方に移動するようにしてある。図１０、図１４のように蓋５０が閉じているときは図１６のように押し具７０が空間閉塞具５７を左上方に押して空間閉塞具５７は側壁５４と天井５３に接触して、横上閉塞具５５と側壁５４及び天井５３との間の空間を閉塞する。この後に上閉塞具５１の上体６１を上げると、補助閉塞具５６が上昇して天井５３に接触し、補助閉塞具５６と天井５３との間の空間が閉塞される。
【００４９】
図１５のように収納ボックス４９の蓋５０を開くと、図１７のようにロッド６８が右にスライドし、押し具７０の先端部が右下方にスライドするため、空間閉塞具５７は右横に移動しながら下方へも移動して、空間閉塞具５７は側壁５４と天井５３から離れ、横上閉塞具５５と側壁５４及び天井５３との間に空間ができる。その後に上閉塞具５１の上体６１を下げると、補助閉塞具５６が降下して天井５３から離れ、補助閉塞具５６と天井５３との間に空間ができて、家具類６を移動させることができるようになる。前記ロッド６８と押し具７０は前記横上閉塞具５５の二枚の板材６７の間に収容されている。
【００５０】
前記ロッド６８と蓋５０との連結は次のようになっている。ロッド６８の後端部分が図１４、図１５に示すように、Ｌ字型の回動アーム７１の一端に取り付けられ、回動アーム７１の他端が連結アーム７２に連結され、連結アーム７２の他端が収納ボックス４９の蓋５０に連結されている。この構造とすることにより、図１４に示すように蓋５０を閉じると、連結アーム７２及び回動アーム７１が動作して、図１４のようにロッド６８の後端部分が壁面側（図１４の矢印Ａ方向）に押し込まれて、空間閉塞具５７が側壁５４側に押し出され、図１５に示すように蓋５０を開けると、連結アーム７２及び回動アーム７１が前回とは逆に動作して、ロッド６８の後端部分が図１５の家具類６側（図１５の矢印Ｂ方向）に引き込まれて、空間閉塞具５７が家具類６側に引き戻されるようになる。
【００５１】
また、図２０（ａ）（ｂ）に示すように、前記化粧板昇降機構８１のロッド８５も、連結アーム８７によって蓋５０に連結され、図２０（ａ）に示すように蓋５０を開けるとロッド８５が引かれて化粧板１００が持ち上げられ（図１９（ａ）参照）、図２０（ｂ）に示すように蓋５０を示すとロッド８５が押し戻されて化粧板１００が床面３に付いて、床面３と台輪５との間の隙間を隠す板としての役割を果たすようにしてある（図１９（ｂ）参照）。
【００５２】
（使用例２）
本発明の移動システムを用いて、台輪５に搭載されている家具類６の固定、移動を行うには以下のようにする。
１．化粧板１００が床に付き、支持脚９が床面３に接地し、仮設レール用の車輪８が床面３から浮き、側方レール用の車輪７が側方レール２から浮いて、台輪５が床面３に固定され、空間閉塞具５７が側壁５４及び天井５３に接触して、横上閉塞具５５と側壁５４及び天井５３との間の空間が閉塞されて、更に、上閉塞具５１の上体６１が上げられ、上閉塞具５１及び補助閉塞具５６が天井５３に接触して天井５３との間の空間が閉塞されて家具類６が固定されている図１０、図８の状態で、仮設レール用の車輪８の下の床面３上に、仮設レール４を敷設する。
２．収納ボックス４９の蓋５０を開け、ロッド６８の後端部分を図１５の家具類６側（図１５の矢印Ｂ方向）に引き込み、空間閉塞具５７が家具類６側に引き戻して、空間閉塞具５７を側壁５４及び天井５３から離して、横上閉塞具５５と側壁５４及び天井５３との間に空間を形成して固定を解除する（図１５、１７）。また、ロッド８５を引き、化粧板１００を床面３から持ち上げて保持する（図１９（ａ）、図２０（ａ））。
３．次に図１３に示すように操作螺子６４を操作して上閉塞具５１の上体６１を下げ、上閉塞具５１及び補助閉塞具５６を降下させて天井５３から離して、補助閉塞具５６と天井５３との間に空間を形成して固定を解除する（図１７）。
４．図１１に示すように、収納ボックス４９内に収納されているハンドル４０を取り出し、ハンドル４０を駆動ギア４７に備えて、蓋５０を開けたままハンドル４０を回転させて、支持脚９を昇降可能にする。次にハンドル４０を回し、台輪５に備えられた二本の回転シャフト４３ａ、４３ｂを同期回転させ、支持脚９を上昇させることにより台輪５を台輪５の底面よりも下方まで降下させて、仮設レール用の車輪８を仮設レール４の上に、側方レール用の車輪７を側方レール２の上に、夫々のせる（図９）。
５．家具類６を押して、所望位置までレール２、４に沿って移動させる。
６．所望位置で移動を停止させてから、ハンドル４０を前回とは逆回転させて、二本の回転シャフト４３ａ、４３ｂをも前回とは逆回転させ、支持脚９を台輪５の底面よりも下方まで降下させて、支持脚９を床面３に接地させて、仮設レール用の車輪８を仮設レール４から、側方レール用の車輪７を側方レール２から夫々浮かせ、台輪５を床に固定することによりそれに搭載されている家具類６を固定する。その後に、仮設レール２を床から取外す。
７．ハンドル４０を駆動ギア４７から取り外し、収納ボックス４９に収納して蓋５０を閉め、図１４のようにロッド６８の後端部分を壁面側（図１４の矢印Ａ方向）に押し込んで、空間閉塞具５７を側壁５４側に押し出して、空間閉塞具５７を側壁５４及び天井５３に接触させ、横上閉塞具５５と側壁５４及び天井５３との間の空間を閉塞して固定する（図１４、１６）。また、ロッド８５を押し戻し、化粧板１００を床面３に付ける（図１９（ｂ）、図２０（ｂ））。
８．次に図１３に示すように操作螺子６４を操作して上閉塞具５１の上体６１を上げ、上閉塞具５１の上体６１を上げ、上閉塞具５１及び補助閉塞具５６を上昇させて天井５３に接触させ、補助閉塞具５６と天井５３との間の空間を閉塞して固定する（図１６）。
再度移動させるには、上記１〜８の手順を繰り返し行う。なお、手順２と３、及び７と８とは順序が逆であってもよい。
【００５３】
（実施形態３）
本発明の移動装置のその他の実施形態を図２１、２２を参照して説明する。この移動装置の基本的構成及び使用方法は前記各実施形態の移動装置と同じである。本実施形態の移動装置は、図２１、２２に示すように、台輪５の幅が狭いものであって、搭載する家具類６が本棚等の厚みの薄いものである場合に適したものであって、前記各実施形態の移動装置とは、台輪の形状において異なる。本実施形態の移動装置は、図２１に示すように、台輪５を形成するフレームのうち、側壁１側の側方フレーム１６ｂに、台輪５の両側方に突出する延長部１０１を備え、その延長部を備えた側方フレーム１６ｂの両端付近に側方レール２の上を走行する車輪７を備える構成となっている。前記延長部１０１は、図２１に示すように、側壁１側の側方フレーム１６ｂを台輪５の幅方向両側に突出するように長く形成したり、側方フレーム１６ｂに、台輪５の幅方向両側に突出するように別途延長部材を付け足したり、任意の方法によって形成することができる。従って、搭載する家具類６が、本棚等の厚みの薄いものである場合であっても、転倒せずに安定して家具類６を移動させることができる。また、側壁１側の側方フレーム１６ｂにのみ延長部を備えるため、室内においても邪魔になることはない。
【００５４】
また、図２２に示すように、側壁１側の側方フレーム１６ｂに、台輪５の片側方にのみ突出するように延長部１０１を備えることもできる。側方フレーム１６ｂを台輪５の幅方向片側にのみ突出させた場合には、部屋の隅に家具類６を設置することも十分可能である。また、図２１、２２においては、車輪７は延長部１０１を備えた側方フレーム１６ｂの両端付近にのみ備えられているが、側方フレーム１６ｂの両端付近以外の箇所にも車輪７を備え、車輪７を多数箇所に備えることもできる。
【００５５】
（その他の実施形態）
本発明の家具類の移動装置における仮設レールは一本に限らず、二本以上とすることもできる。また、仮設レール走行用の車輪も、一組に限らず、二組以上とすることもできる。支持脚の数も、前記各実施形態に示す八個に限られず、任意の数とすることができる。
【００５６】
また、台輪の昇降は、前記各実施形態に示すようにハンドルを用いた手動による他、モータ等を用いて自動で昇降させること等、任意の方法によって行うことができる。
【００５７】
同様に、昇降機構も、前記各実施形態に記載の機構に限られず、支持脚を昇降可能であれば、任意の機構とすることができる。従って、例えば、各支持脚を個別に上下動させる構成としたり、複数本の支持脚を同時に上下動させた後に、各支持脚について、外部から微調整をすることが可能な、上記フランジ９０以外の調節機構を備えることもできる。
【００５８】
また、ハンドルや駆動ギアを収納する収納ボックスは、家具類と別体に形成することも可能である。
【産業上の利用可能性】
【００５９】
本発明の移動システムは、家具や壁のみならず、屋内のシステムキッチンや浴槽等の移動にも応用することができる。
【図面の簡単な説明】
【００６０】
【図１】本発明の家具類の移動装置の実施形態の一例を示す斜視図。
【図２】図１に示す家具類の移動装置中の台輪の分解斜視図。
【図３】図１に示す家具類の移動装置中の支持脚の取り付けの様子を示す分解斜視図。
【図４】図１に示す家具類の移動装置中の台輪の様子を示す平面図。
【図５】（ａ）は、図１に示す家具類の移動装置中の支持脚の様子を示す断面側面図。（ｂ）、（ｃ）は夫々（ａ）に示す支持脚の断面説明図。
【図６】図１に示す家具類の移動装置中の支持脚の様子を示す断面側面図。
【図７】図５、図６に示す支持脚の様子を示す断面正面図。
【図８】図１に示す家具類の移動装置の固定時の様子を示す正面説明図。
【図９】図１に示す家具類の移動装置の移動時の様子を示す正面説明図。
【図１０】本発明の家具類の移動装置の実施形態の他の一例を示す斜視図。
【図１１】図１０に示す家具類の移動装置の移動時の様子を示す斜視図。
【図１２】図１０に示す家具類の移動装置の様子を示す斜視説明図。
【図１３】図１０に示す家具類の移動装置中の上閉塞具の様子を示す説明断面図。
【図１４】図１０に示す家具類の移動装置中の空間閉塞具の固定時の様子を示す説明断面図。
【図１５】図１０に示す家具類の移動装置中の空間閉塞具の移動時の様子を示す説明断面図。
【図１６】図１０に示す家具類の移動装置中の補助閉塞具と空間閉塞具の固定時の様子を示す断面平面図。
【図１７】図１０に示す家具類の移動装置中の補助閉塞具と空間閉塞具の移動時の様子を示す断面平面図。
【図１８】図１に示す家具類の移動装置中の蓋昇降装置の分解斜視図。
【図１９】（ａ）は、図１８に示す蓋昇降装置の移動時の様子を示す説明断面図。（ｂ）は、図１８に示す蓋昇降装置の固定時の様子を示す説明断面図。
【図２０】（ａ）は、図１８に示す蓋昇降装置の移動時の様子を示す説明断面図。（ｂ）は、図１８に示す蓋昇降装置の固定時の様子を示す説明断面図。
【図２１】本発明の家具類の移動装置の実施形態の他の一例を示す説明図。
【図２２】本発明の家具類の移動装置の実施形態の他の一例を示す説明図。
【図２３】家具や壁等を移動させてマンション等の部屋の間仕切りにする様子を示す断面平面図。
【符号の説明】
【００６１】
１  側壁
２  側方レール
３  床面
４  仮設レール
５  台輪
６  家具類
７  側方レール用の車輪
８  仮設レール用の車輪
９  支持脚
１０  昇降機構
【図１】
2005087532.tif 000003
【図２】
2005087532.tif 000004
【図３】
2005087532.tif 000005
【図４】
2005087532.tif 000006
【図５】
2005087532.tif 000007
【図６】
2005087532.tif 000008
【図７】
2005087532.tif 000009
【図８】
2005087532.tif 000010
【図９】
2005087532.tif 000011
【図１０】
2005087532.tif 000012
【図１１】
2005087532.tif 000013
【図１２】
2005087532.tif 000014
【図１３】
2005087532.tif 000015
【図１４】
2005087532.tif 000016
【図１５】
2005087532.tif 000017
【図１６】
2005087532.tif 000018
【図１７】
2005087532.tif 000019
【図１８】
2005087532.tif 000020
【図１９】
2005087532.tif 000021
【図２０】
2005087532.tif 000022
【図２１】
2005087532.tif 000023
【図２２】
2005087532.tif 000024
【図２３】
2005087532.tif 000025